(57)【要約】      （修正有）【課題】パンツ衣類の内側に装着する尿吸収パッドを、外装体は取り替えず尿吸収パッドのみを交換可能にした尿吸収パッド交換式パンツを提供する。【解決手段】材質そのものが市販のパンツ生地の肌触りをそのまま生かし、着用時に尿吸収パッド１２を挿入した状態で着用する。パンツの股部内側に尿吸収パッドを挿入できるポケット１１を設け、同パンツの前身頃に立体的なふくらみを持たせるためのタックを設けたことにより、陰茎が安定保持され、陰部あたりの裏地に尿吸収パッド１２を出し入れ可能となる開口部８、２１を設けることにより、裏生地を通さず尿吸収パッドそのものに排尿でき、排尿を吸収した吸収体のみを汚物入れに廃棄可能とし、簡易な廃棄処理を達成する。【選択図】図５
0003199212.tif 000002
【実用新案登録請求の範囲】
【請求項１】
パンツの前後に、かつ内側に、水分透過性の布地を用いて下方に開口するポケットを設け、使用者の排泄部位を含む前後にわたって、尿吸収パッドを着脱自在に装着できるようにし、かつパンツの前後に設けられた前記ポケットのうち、パンツの前に設けられたポケットは、上端部がパンツの外側に開口している、尿吸収パッド交換式パンツ。
【請求項２】
パンツの前に設けられた前記ポケットの前記上端部に開口する開口部に、前記尿吸収パットの抜け出しを防止する面ファスナーが設けられている請求項１に記載の尿吸収パッド交換式パンツ。
【考案の詳細な説明】
【技術分野】
【０００１】
本考案は、パンツ衣類の内側に装着する尿吸収パッドを、外装体は取り換えず尿吸収パッドのみを交換可能にしたものである。
【背景技術】
【０００２】
近年、高齢化が進み、老人が増えてきている。この老人や病気上がりの人には、失禁者が年々増加の傾向にある。そして失禁者の尿漏れ対策として失禁用パンツとしては、種々のものが知られている。従来、尿意を意識できずあるいは介護者に知らせる事が出来ない老人、病人、身体障害者等の為に、パンツ式の大人用紙おむつを使用するか、男性用採尿パッドを接着テープを用いてパンツに貼って使用する方法をとっていた。しかしこのような大人用おむつは吸収性や外観性に抵抗がある。そして、単に尿意を意識できないだけで、普通の生活が可能な大人もいる。これらの対策として大人用おむつに代えて、パンツ生地の股部に吸収部材を設けた失禁用パンツが用いられるようになった。また必要とはいえ、尿吸収パッドを装着しなければならないことについて使用者としては心理的負担を感じる場合が多く、その心理的心理的負担を減らすためには装着用のシルエット（外観）が自然で見栄えのよい事も求められている。
【考案の概要】
【考案が解決しようとする課題】
【０００３】
従来技術においては次のような問題点があった。採尿パッドが接着テープによってパンツに貼りつけてあるため、歩行時によりずれが生じ、上手く採尿できない恐れがあり使用不安があった。またパンツ式おむつを使用する場合はおしり全体のむれ感があり、取り換えをする際にはズボンを脱いでからパンツ式おむつを履きかえる方法しかなく、特に外出時は取り換えが面倒である。また尿失禁や漏尿をした際には、採尿パッドが次第に重たくなるため接着テープが次第にずれて採尿パッドが落下するという不安があった。本考案はこのような欠点を除き、安心して採尿パッドを使用できるポケット付きパンツの提供を目的とする。
【課題を解決するための手段】
【０００４】
上記目的を達成するため、本考案における請求項１のパンツは、市販のパンツもしくは伸縮性で通気性のある素材を使って、前記パンツの股部の切換え線の付近に開口するポケットを前身頃と後ろ身頃に設け、排尿されて吸収したパッドをそのポケット口又は、パンツの前身頃外側のポケット開口部からも取り出すことができ、さらに脚部周りには、発水用テープ又は吸水しやすいタオル生地を縫合して漏れを防ぐ。
【考案の効果】
【０００５】
以上説明したように、この考案の尿失禁用パンツによれば、ストレスとならない肌触りで通りの良好で気性、通水性の良好な生地で製造できるので、そうすることにより高齢者ばかりでなく、尿失禁で悩んでいる若年層や幼児にも都合よく快適に使用される。また、外出中に漏らしたとしても構造が簡素であるため、採尿パッドの装着が容易にでき、取り替えで着替えることなく手軽に対応でき、ポケット内に収納された採尿パッド全体がしっかりと安定する為、歩行による採尿パッドずれの心配がなく、使用不安が解消できる。また尿吸水パッドは、本人が出し入れ開口部から収納領域に単に収納するだけであり、しかも交換する場合にも、本人が出し入れ開口部より新しい吸水パッドと容易に装着交換することができる。尿吸水パッドは、収納領域に安定した状態で位置ずれすることなく収納されて、使用することができるので、軽症の場合では普通の生活に何ら支障のないまでに活動でき、服装に乱れなく清楚に着用できるため、介護用ばかりでなく旅行やドライブ、スポーツ、登山、又は防災用としてトイレの少ない場所でも使用できるというすぐれた効果がある。
【図面の簡単な説明】
【０００６】
【図１】本考案において、パンツの外側から見た正面図で、前身頃生地と後ろ身頃生地との間に尿吸収パッドを装着できるポケットの領域を示した図である。
【図２】本考案において、パンツの外側から見た後ろ図面で、後ろ中心が前中心に比較して長い部分を示した図である。
【図３】本考案において、股部内面に尿吸収パッドを装着したパンツを、裏返した状態の前身頃正面図である。
【図４】本考案において、股部内面に尿吸収パッドを装着したパンツを裏返した状態のポケット開口部を示した図である。
【図５】本考案において、パンツの股部内側の前後のポケット開口部を示した図である。
【図６】本考案において、パンツの後を裏側から見た図で、尿吸収パッドを装着した状態を示した図である。
【図７】本考案において、前身頃パンツの股部中央に、タックを入れた図である。
【図８】本考案において、前身頃パンツの切換え線中央上部に、タックを入れてふくらみを持たせた左側図面である。
【考案を実施するための形態】
【０００７】
本考案は、尿吸収パッドの前身頃に立体的な膨らみ部を設け、放尿する部位を安定化し更に下着本来への尿漏れを防止するようにした着用感の良好な尿吸収パッド及び、パッド付き下着の構造に関するもので、外装体は変えず尿吸収パッドのみを取り換え式にしたもので、パンツの外観は使用後の尿吸収パッドが本人でも取り出しやすい袋状のポケットを内側に取り付けてあり、見た目には市販のパンツと変わらない見栄えのパンツであるが、パンツの内側部分には夜用で大きめサイズのパッドでも出し入れ可能な開口部があり、その部分から尿吸収パッドが挿入できるようになっており、パンツは前身頃に比べて後ろ身頃が長く座った時に前に引っ張られないようになっていて、いずれも男女兼用のデザインであるが、女性用や子供用は楽しく華やかなイメージがわくようにレース使いや花柄プリントなどポップな感じもあり、他にシンプルな普通の綿素材や無地も対応でき、また男性用としてはパンツの外側前身頃股間部分にタックを入れて立体的なふくらみを作ることにより安定保持させ、尿吸収パッドからの漏れを防ぐよう工夫され、パンツの脚部周りには発水用テープ又は吸水しやすいタオル生地を縫合する事で横からの漏れを防ぐようになっており、更にパンツの外側の生地とタオル地を２枚合わせにすることで更に尿漏れを防ぎ、そしてこれらのパンツの内側ポケットに使用される素材は透過性のある軽くて軟らかい素材を用いる事で、蒸れを防ぎ直接肌に触れてもやさしいナイロン、ポリエステル等のスポーツメッシュなどを使用するもので、  以下図１〜図８に基づいて説明する。
【０００８】
本実施の形態に係る尿吸収パッド１２（図３、５、６）は、図４、図５の前身頃パンツ内側ポケット１１（図３、４、５）と、後ろ身頃パンツ内側ポケット１５、前身頃内側ポケット開口部８、後ろ身頃内側ポケット開口部２１に示すように、織成生地を主たる素材とするパンツ（図１）に装着されるものである。
【０００９】
前身頃の縫製形態は、前身頃パンツ上部表生地２（図１、３、７、８）と、前身頃パンツ裏生地下部１８（図３）及び、前身頃パンツ表生地下部１７（図１、７、８）を縫合し、その左右両端を前身頃切換え部左右縫合線１６（図１、３、７、８）が縫合される。
【００１０】
図３、図４はパンツの裏側の図で、前身頃内側ポケット開口部８（図４、５）と、後ろ身頃内側ポケット開口部２１（図４、５）が開口することによって、前身頃パンツ内側ポケット１１（図３、４、５）と後ろ身頃パンツ内側ポケット１５（図４、５、６）が形成されている。
【００１１】
図３のパンツ内側裏生地下部１８（図３）と前身頃パンツ内側ポケット１１（図３、４、５）、後ろ身頃パンツ内側ポケット１５（図４、５、６）の生地は、通水性、通気性があって肌触りがよく、保水性がなく乾きやすい材質のものを使用している。例えばナイロン、ポリエステル等の織布である。
【００１２】
前身頃パンツ表地下部１７（図１、７、８）の上端部は表外側が開口しており、その前身頃ポケット上端開口部７（図１、７、８）の内側に面ファスナー１３（図１、７、８）を用いることにより、前身頃ポケット上端開口部７（図１、７、８）から使用した後の尿吸収パッド１２（図３、５、６）を、自分でも取り出す事が出来る。
【００１３】
後ろパンツ１４（図２、６、８）は、前身頃（図１、３、７）に比べてゆったり目で長く作られており、座った時後ろに引っぱられないようにゆとりを持たせている。
【００１４】
脚周り部３（図１、３、７）には、発水テープ又は、水分を吸収しやすいタオル生地４（図１、３、７）を縫合することにより、脚廻りからの尿漏れを防ぐことができる。
【００１５】
図６は後ろパンツの内側の図であり、後ろ身頃パンツ表生地１４（図２）と、後ろ身頃パンツ内側ポケット裏生地１５（図４、５、６）とを2枚合わせて、上と左右の縫合線１９（図６）に沿って縫合することにより、下端部２０（図６）が開口する後ろ身頃パンツ内側ポケット１５（図４、５、６）が形成されている。尿吸収パッド１２（図３、５、６）は、使用前に前身頃内側ポケット開口部８（図４、５）と後ろ身頃内側ポケット開口部２１（図４、５）を通じて、前後のポケット１１、１５（図４、５、６）に装着したり、使用後に取り外したりすることができるようになっている。
【００１６】
図４の内側ポケット開口部８、２１（図４、５）は、ポケット開口範囲が広くとってあるので、尿吸収パッド１２（図３、５、６）は前後のポケットに挿入しやすく直接肌に触れる股部分には、尿吸収パッド１２（図３、５、６）だけが直接当たるようになっている。但し、使用後の尿吸収パッド１２（図３、５、６）は、前身頃内側ポケット開口部８（図１、７、８）からも取り出す事が出来る。
【００１７】
前身頃パンツ表地下部１７（図１、７、８）の中央下部に、前身頃パンツ股部タック接合部右Ａ（図７）、前身頃パンツ股部タック接合部分左Ｂ（図７）を縫合してタックを入れ、男性用として股間へのゆとりを持たせた部分の図である。
【符号の説明】
【００１８】
１  尿吸収パッド交換式パンツ
２  前身頃パンツ上部表生地
３  ４Ｒ、４Ｌ脚廻り部
４  ５Ｒ、５Ｌ発水テープ又は、タオル生地
５  ウエストゴム通し部
６  後ろ身頃ポケット
７  前身頃ポケット上端部開口部
８  前身頃内側ポケット開口部
９  前身頃パンツ股部タック部
１０  前身頃パンツ外側ポケット
１１  前身頃パンツ内側ポケット
１２  尿吸収パッド
１３  面ファスナー
１４  後ろ身頃パンツ表生地
１５  後ろ身頃パンツ内側ポケット
１６  前身頃切替え部左右縫合線
17  前身頃パンツ表地下部
18  前身頃裏生地下部
19  後ろ身頃ポケット左右上縫合線
20  後ろパンツ下端部
21  後ろ身頃内側ポケット開口部
A 前身頃パンツ股部タック右接合部
B 前身頃パンツ股部タック左接合部
【図１】
0003199212.tif 000003
【図２】
0003199212.tif 000004
【図３】
0003199212.tif 000005
【図４】
0003199212.tif 000006
【図５】
0003199212.tif 000007
【図６】
0003199212.tif 000008
【図７】
0003199212.tif 000009
【図８】
0003199212.tif 000010